【手続補正書】
【提出日】平成31年1月16日(2019.1.16)
【手続補正１】
【補正対象書類名】特許請求の範囲
【補正対象項目名】全文
【補正方法】変更
【補正の内容】
【特許請求の範囲】
【請求項１】
音声信号を生成するためのコンピュータの実行方法は、
第１の音源から第１の信号を受信することと、
出力するために前記第１のユーザに関連する出力素子に前記第１の信号を送信することと、
第２のユーザに関連する入力素子から第２の信号を受信することと、
前記第１の信号と前記第２の信号と組み合わせて組み合わされた信号を生成することと、出力するために前記第１のユーザに関連する前記出力素子に前記組み合わされた信号を送信することと、を含む。
【請求項２】
前記第１の信号と前記第２の信号との組み合わせは、
前記第２の信号に応答し、前記第１の信号をダッキングしてダッキングされた第１の信号を生成することと、
前記ダッキングされた第１の信号を前記第２の信号に加えることと、を含む、請求項１に記載のコンピュータの実行方法。
【請求項３】
前記第１の信号をダッキングすることは、前記第１の信号に関連し、前記第２の信号に関連する振幅に基づいて、第１の周波数帯域に対応し、第２の周波数帯域に対応する振幅を調整することを含む、請求項２に記載のコンピュータの実行方法。
【請求項４】
前記第１の周波数帯域が前記第２の周波数帯域と実質的に同じである、請求項３に記載のコンピュータの実行方法。
【請求項５】
前記第２のユーザに関連する出力素子によって、前記第２の信号を前処理して、前記第２のユーザに関連する前記入力素子に入力される第３の信号の少なくとも一部をフィルタリングすることをさらに含む、請求項１に記載のコンピュータの実行方法。
【請求項６】
前記第２の信号を前処理して、前記第１のユーザに関連する入力素子に入力される第４の信号の少なくとも一部をフィルタリングすることをさらに含む、請求項１に記載のコンピュータの実行方法。
【請求項７】
音声信号を生成するためのシステムは、
第１のユーザに関連し、音声信号を生成するように構成される第１の出力素子と、
前記第１のユーザに関連し、音声信号を受信するように構成される第１の入力素子と、
音声信号を生成するように構成される第１の音源と、
前記第１の出力素子、前記第１の入力素子及び前記第１の音源に連結され、
前記第１の音源から第１の信号を受信し、
出力するために前記第１の出力素子に前記第１の信号を送信し、
第２のユーザに関連する第２の入力素子から第２の信号を受信し、
前記第１の信号と前記第２の信号とを組み合わせて組み合わされた信号を生成し、
出力するために前記第１の出力素子に前記組み合わされた信号を送信するように構成される第１の回路素子と、を備える、前記システム。
【請求項８】
前記第１の回路素子は、前記第１の入力素子に接続され、前記第１の入力素子によって受信された前記音声信号に基づいて、前記第１の信号をダッキングするように構成されるダッカーを含む、請求項７に記載のシステム。
【請求項９】
前記第１の回路素子は、前記第１の入力素子及び前記第１の音源に接続され、前記第２の信号に基づいて、前記第１の信号をダッキングしてダッキングされた第１の信号を生成するように構成されるダッカーを含み、前記第１の信号をダッキングすることは、前記第１の信号に関連し、前記第２の信号に関連する振幅に基づいて、第１の周波数帯域に対応し、第２の周波数帯域に対応する振幅を調整することを含む、請求項７に記載のシステム。
【請求項１０】
前記第１の回路素子は、前記第２の入力素子に接続され、音声信号を組み合わせるように構成される合計ユニットをさらに含み、前記合計ユニットは、前記ダッキングされた第１の信号を前記第２の信号に加えて前記組み合わされた信号を生成する、請求項９に記載のシステム。
【請求項１１】
前記第１の回路素子は、前記第１の入力素子に接続されるフィルタを含み、前記フィルタは、前記第１の入力素子によって受信された第３の信号から前記第１の信号または前記ダッキングされた第１の信号の少なくとも一部をフィルタリングして第４の信号を生成するように構成され、前記フィルタは適合フィルタまたはスペクトル減算器を備える、請求項９に記載のシステム。
【請求項１２】
前記第１の回路素子は、前記第２のユーザに関連する第２の処理ユニット内の第２の適合キャンセルユニットに接続されるように構成される第１の適合エコーキャンセレーションユニットをさらに含む、請求項１１に記載のシステム。
【請求項１３】
前記第１の適合エコーキャンセレーションユニットに関連する出力は、前記第２の適合エコーキャンセレーションユニットに関連する入力に接続され、前記第２の適合エコーキャンセレーションユニットに関連する出力は、前記第１の適合エコーキャンセレーションユニットに関連する入力に接続される、請求項１２に記載のシステム。
【請求項１４】
前記第１の適合エコーキャンセレーションユニットは、前記第２の適合エコーキャンセレーションユニットによって出力された第５の信号に基づいて前記第４の信号をフィルタリングして、前記第４の信号に関連するエコーを低減するように構成され、前記第５の信号は前記第２の入力素子によって受信される、請求項１３に記載のシステム。
【請求項１５】
処理ユニットによって実行されると、前記処理ユニットに以下のステップを実行することによって音声信号を生成させるプログラム命令を記憶する非一時的コンピュータ可読媒体であって、前記ステップは、
第１の音源から第１の信号を受信することと、
出力するために前記第１のユーザに関連する出力素子に前記第１の信号を送信することと、
第２のユーザに関連する入力素子から第２の信号を受信することと、
前記第１の信号と前記第２の信号と組み合わせて組み合わされた信号を生成することと、
出力するために前記第１のユーザに関連する前記出力素子に前記組み合わされた信号を送信することと、を含む。
【請求項１６】
前記第１の信号と前記第２の信号との組み合わせの前記ステップは、
前記第１の信号に関連する振幅を調整し、前記第２の音声信号に関連する振幅に基づいて、第１の周波数帯域に対応し、第２の周波数帯域に対応してダッキングされた第１の信号を生成することと、
前記第２の信号で前記ダッキングされた第１の信号を合計することとを含む、請求項１５に記載の非一時的コンピュータ可読媒体。
【請求項１７】
２つの異なる音源から音声信号にアクセスするためのシステムは、
第１の音源に接続される第１の配線回路と、
前記第１の配線回路に接続される第１の出力素子と、を備え、
第１の状態においては、前記第１の配線回路は、前記第１の音源からの音声信号を出力するために第１の出力素子にルーティングするように構成され、
第２の状態においては、前記第１の配線回路は、第２の音源からの音声信号を出力するために前記第１の出力素子にルーティングするように構成される。
【請求項１８】
前記第１の配線回路は、第１の多重化装置を含み、前記第１の状態においては、前記第１の多重化装置は前記音声信号を前記第１の音源から前記第１の出力素子へと通過させるように前記第１の状態において構成される、請求項１７に記載のシステム。
【請求項１９】
前記第１の配線回路は、第２の多重化装置をさらに含み、前記第２の状態においては、前記第２の多重化装置は前記音声信号を前記第２の音源から前記第１の多重化装置へと通過させるように構成され、前記第２の状態においては、前記第１の多重化装置は、前記音声信号を前記第２の音源から前記第１の出力素子へと通過させるように構成され、前記音声信号を前記第１の音源から前記第１の出力素子へと通過させないように構成される、請求項１８に記載のシステム。
【請求項２０】
前記第１の音源からの前記音声信号と、前記第２の音源からの前記音声信号がどのように前記第１の配線回路を通じてルーティングされるかと同様に、前記第１の配線回路は、前記第１の多重化装置及び前記第２の多重化装置の前記構成を制御するスイッチとをさらに含む、請求項１９に記載のシステム。
【手続補正２】
【補正対象書類名】明細書
【補正対象項目名】００１１
【補正方法】変更
【補正の内容】
【００１１】
上述の１つ以上の実施形態の列挙された特徴が詳細に理解できるように、上記で簡潔に要約された１つ以上の実施形態のより具体的な記載は、特定の実施形態への参照により行われてよく、そのうちのいくつかは添付図面中にて図示されている。しかしながら、添付図面は典型的な実施形態のみ図示しており、そのためいかなる手法においても範囲を限定するものと考えられず、発明の範囲はその他の実施形態も含むということに注意すべきである。
本発明は、例えば、以下を提供する。
（項目１）
音声信号を生成するためのコンピュータの実行方法は、
第１の音源から第１の信号を受信することと、
出力するために前記第１のユーザに関連する出力素子に前記第１の信号を送信することと、
第２のユーザに関連する入力素子から第２の信号を受信することと、
前記第１の信号と前記第２の信号と組み合わせて組み合わされた信号を生成することと、出力するために前記第１のユーザに関連する前記出力素子に前記組み合わされた信号を送信することと、を含む。
（項目２）
前記第１の信号と前記第２の信号との組み合わせは、
前記第２の信号に応答し、前記第１の信号をダッキングしてダッキングされた第１の信号を生成することと、
前記ダッキングされた第１の信号を前記第２の信号に加えることと、を含む、項目１に記載のコンピュータの実行方法。
（項目３）
前記第１の信号をダッキングすることは、前記第１の信号に関連し、前記第２の信号に関連する振幅に基づいて、第１の周波数帯域に対応し、第２の周波数帯域に対応する振幅を調整することを含む、項目２に記載のコンピュータの実行方法。
（項目４）
前記第１の周波数帯域が前記第２の周波数帯域と実質的に同じである、項目３に記載のコンピュータの実行方法。
（項目５）
前記第２のユーザに関連する出力素子によって、前記第２の信号を前処理して、前記第２のユーザに関連する前記入力素子に入力される第３の信号の少なくとも一部をフィルタリングすることをさらに含む、項目１に記載のコンピュータの実行方法。
（項目６）
前記第２の信号を前処理して、前記第１のユーザに関連する入力素子に入力される第４の信号の少なくとも一部をフィルタリングすることをさらに含む、項目１に記載のコンピュータの実行方法。
（項目７）
前記第１の音源は前記第１のユーザに関連し、前記第１の音源を選択する前記第１のユーザに応答して、前記第１のユーザに関連する前記出力素子に前記第１のユーザに前記第１の信号を出力させることをさらに含む、項目１に記載のコンピュータの実行方法。
（項目８）
前記第１の音源は前記第２のユーザに関連し、前記第１の音源を選択する前記第１のユーザに応答して、前記第１のユーザに関連する前記出力素子に前記第１のユーザに前記第１の信号を出力させることをさらに含む、項目１に記載のコンピュータの実行方法。
（項目９）
前記第１の音源は前記第１のユーザまたは前記第２のユーザの何れかに関連し、第２の音源が現在アクティブではないとの判断に応答して、前記第１のユーザに関連する前記出力素子に前記第１のユーザに前記第１の信号を出力させることをさらに含む、項目１に記載のコンピュータの実行方法。
（項目１０）
音声信号を生成するためのシステムは、
第１のユーザに関連し、音声信号を生成するように構成される第１の出力素子と、
前記第１のユーザに関連し、音声信号を受信するように構成される第１の入力素子と、
音声信号を生成するように構成される第１の音源と、
前記第１の出力素子、前記第１の入力素子及び前記第１の音源に連結され、
前記第１の音源から第１の信号を受信し、
出力するために前記第１の出力素子に前記第１の信号を送信し、
第２のユーザに関連する第２の入力素子から第２の信号を受信し、
前記第１の信号と前記第２の信号とを組み合わせて組み合わされた信号を生成し、
出力するために前記第１の出力素子に前記組み合わされた信号を送信するように構成される第１の回路素子と、を備える、前記システム。
（項目１１）
前記第１の回路素子は、前記第１の入力素子に接続され、前記第１の入力素子によって受信された前記音声信号に基づいて、前記第１の信号をダッキングするように構成されるダッカーを含む、項目１０に記載のシステム。
（項目１２）
前記第１の回路素子は、前記第１の入力素子及び前記第１の音源に接続され、前記第２の信号に基づいて、前記第１の信号をダッキングしてダッキングされた第１の信号を生成するように構成されるダッカーを含み、前記第１の信号をダッキングすることは、前記第１の信号に関連し、前記第２の信号に関連する振幅に基づいて、第１の周波数帯域に対応し、第２の周波数帯域に対応する振幅を調整することを含む、項目１０に記載のシステム。
（項目１３）
前記第１の回路素子は、前記第２の入力素子に接続され、音声信号を組み合わせるように構成される合計ユニットをさらに含み、前記合計ユニットは、前記ダッキングされた第１の信号を前記第２の信号に加えて前記組み合わされた信号を生成する、項目１２に記載のシステム。
（項目１４）
前記第１の回路素子は、前記第１の入力素子に接続されるフィルタを含み、前記フィルタは、前記第１の入力素子によって受信された第３の信号から前記第１の信号または前記ダッキングされた第１の信号の少なくとも一部をフィルタリングして第４の信号を生成するように構成され、前記フィルタは適合フィルタまたはスペクトル減算器を備える、項目１２に記載のシステム。
（項目１５）
前記第１の回路素子は、前記第２のユーザに関連する第２の処理ユニット内の第２の適合キャンセルユニットに接続されるように構成される第１の適合エコーキャンセレーションユニットをさらに含む、項目１４に記載のシステム。
（項目１６）
前記第１の適合エコーキャンセレーションユニットに関連する出力は、前記第２の適合エコーキャンセレーションユニットに関連する入力に接続され、前記第２の適合エコーキャンセレーションユニットに関連する出力は、前記第１の適合エコーキャンセレーションユニットに関連する入力に接続される、項目１５に記載のシステム。
（項目１７）
前記第１の適合エコーキャンセレーションユニットは、前記第２の適合エコーキャンセレーションユニットによって出力された第５の信号に基づいて前記第４の信号をフィルタリングして、前記第４の信号に関連するエコーを低減するように構成され、前記第５の信号は前記第２の入力素子によって受信される、項目１６に記載のシステム。
（項目１８）
前記第１の回路素子は、
第１の構成で動作するときに前記第１の音源を前記第１の出力素子と第２の出力素子に接続し、
第２の構成で動作するときに第２の音源を前記第１の出力素子に接続するように構成される配線回路をさらに含む、項目１０に記載のシステム。
（項目１９）
前記配線回路に接続される制御回路をさらに備え、
前記第１の音源がアクティブであり、前記第２の音源がアクティブでないときに、前記配線回路を前記第１の構成で動作させ、
前記第１の音源がアクティブでなく、前記第２の音源がアクティブであるときに、前記配線回路を前記第２の構成で動作させるように構成される、項目１８に記載のシステム。
（項目２０）
前記配線回路は、前記配線回路内のスイッチの前記状態に基づいて、前記第１の構成または前記第２の構成で動作するようにさらに構成される、項目１８に記載のシステム。
（項目２１）
処理ユニットによって実行されると、前記処理ユニットに以下のステップを実行することによって音声信号を生成させるプログラム命令を記憶する非一時的コンピュータ可読媒体であって、前記ステップは、
第１の音源から第１の信号を受信することと、
出力するために前記第１のユーザに関連する出力素子に前記第１の信号を送信することと、
第２のユーザに関連する入力素子から第２の信号を受信することと、
前記第１の信号と前記第２の信号と組み合わせて組み合わされた信号を生成することと、
出力するために前記第１のユーザに関連する前記出力素子に前記組み合わされた信号を送信することと、を含む。
（項目２２）
前記第１の信号と前記第２の信号との組み合わせの前記ステップは、
前記第１の信号に関連する振幅を調整し、前記第２の音声信号に関連する振幅に基づいて、第１の周波数帯域に対応し、第２の周波数帯域に対応してダッキングされた第１の信号を生成することと、
前記第２の信号で前記ダッキングされた第１の信号を合計することとを含む、項目１９に記載の非一時的コンピュータ可読媒体。
（項目２３）
２つの異なる音源から音声信号にアクセスするためのシステムは、
第１の音源に接続される第１の配線回路と、
前記第１の配線回路に接続される第１の出力素子と、を備え、
第１の状態においては、前記第１の配線回路は、前記第１の音源からの音声信号を出力するために第１の出力素子にルーティングするように構成され、
第２の状態においては、前記第１の配線回路は、第２の音源からの音声信号を出力するために前記第１の出力素子にルーティングするように構成される。
（項目２４）
前記第１の配線回路は、第１の多重化装置を含み、前記第１の状態においては、前記第１の多重化装置は前記音声信号を前記第１の音源から前記第１の出力素子へと通過させるように前記第１の状態において構成される、項目２３に記載のシステム。
（項目２５）
前記第１の配線回路は、第２の多重化装置をさらに含み、前記第２の状態においては、前記第２の多重化装置は前記音声信号を前記第２の音源から前記第１の多重化装置へと通過させるように構成され、前記第２の状態においては、前記第１の多重化装置は、前記音声信号を前記第２の音源から前記第１の出力素子へと通過させるように構成され、前記音声信号を前記第１の音源から前記第１の出力素子へと通過させないように構成される、項目２４に記載のシステム。
（項目２６）
前記第１の音源からの前記音声信号と、前記第２の音源からの前記音声信号がどのように前記第１の配線回路を通じてルーティングされるかと同様に、前記第１の配線回路は、前記第１の多重化装置及び前記第２の多重化装置の前記構成を制御するスイッチとをさらに含む、項目２５に記載のシステム。